(57)【特許請求の範囲】
【請求項１】
表示ユニットの背面に取り付けられて、前記表示ユニットを支持する支持部材と、
前記表示ユニットの周縁部を前記支持部材に対して固定することにより、前記表示ユニットの周縁部における前記支持部材を支点とした前後方向への振れを阻止する振止め部材と、
を備え、
前記振止め部材は、
前記支持部材に設けられて前記表示ユニットの背面における周囲に位置する縁部に対応して配置されるフレームと、
前記表示ユニットにその背面を覆って取り付けられ、かつ前記フレームに係止されて前記表示ユニットの周縁部を前記フレームに対して固定するユニットカバーと、
前記フレームと前記ユニットカバーとに設けられ、前記表示ユニットの周縁部を前記支持部材に対して固定する固定補強部と、
を備えていることを特徴とする電子機器。
【請求項２】
請求項１に記載の電子機器において、前記固定補強部は、前記フレームの縁部と、前記ユニットカバーに設けられ、かつ前記フレームの前記縁部が係合する係合溝部が設けられた複数のリブ部と、を備えていることを特徴とする電子機器。
【請求項３】
請求項１又は請求項２に記載の電子機器において、前記ユニットカバーは、前記表示ユニットの背面の上部側を覆う上部カバーと、前記表示ユニットの背面の下部側を覆う下部カバーと、を備えていることを特徴とする電子機器。
【請求項４】
表示ユニットの背面に取り付けられて、前記表示ユニットを支持する支持部材と、
前記表示ユニットの周縁部を前記支持部材に対して固定することにより、前記表示ユニットの周縁部における前記支持部材を支点とした前後方向への振れを阻止する振止め部材と、
を備え、
前記振止め部材は、
前記支持部材に設けられて前記表示ユニットの背面における周囲に位置する縁部に対応して配置されるフレームと、
前記表示ユニットにその背面を覆って取り付けられ、かつ前記フレームに係止されて前記表示ユニットの周縁部を前記フレームに対して固定するユニットカバーと、
を備え、
前記ユニットカバーは、前記表示ユニットの背面の上部側を覆う上部カバーと、前記表示ユニットの背面の下部側を覆う下部カバーと、
を備えていることを特徴とする電子機器。
【請求項５】
請求項１〜請求項４のいずれかに記載の電子機器において、前記表示ユニットは、表示パネルおよびこの表示パネルの前面に配置されたタッチ入力パネルを備えた入力表示パネルと、この入力表示パネルの背面を覆った状態で前記入力表示パネルが組み込まれるユニットケースと、を備えていることを特徴とする電子機器。
【発明の詳細な説明】
【技術分野】
【０００１】
この発明は、表示装置などの表示機能を有する電子機器に関する。
【背景技術】
【０００２】
例えば、表示装置などの電子機器においては、特許文献１に記載されているように、表示ユニットと、この表示ユニットの背面を支持する支持部材と、を備えた構成のものが知られている。
【先行技術文献】
【特許文献】
【０００３】
【特許文献１】特開２００７−１７８５０２号公報
【０００４】
この種の電子機器は、支持部材に固定爪と可動爪とこの可動爪を可動させる操作部とが設けられ、表示ユニットの背面に設けられたユニットケースに、固定爪を係止する係止孔部と可動爪を係止する係止溝部とが設けられた構成になっている。
【０００５】
このような電子機器は、支持部材の固定爪をユニットケースの係止孔部に挿入させて係止させ、この状態で支持部材の操作部を操作して、支持部材の可動爪をユニットケースの係止溝部に挿入させて係止させることにより、表示ユニットを支持部材に固定するように構成されている。
【発明の概要】
【発明が解決しようとする課題】
【０００６】
しかしながら、このよう電子機器では、表示ユニットの中央部分のみを支持部材に固定する構成であるから、表示ユニットが支持部材に固定された状態で、表示ユニットの周縁部が前後方向に振れ易いという問題がある。
【０００７】
この発明が解決しようとする課題は、表示ユニットの周縁部における前後方向への振れを防ぐことができる電子機器を提供することである。
【課題を解決するための手段】
【０００８】
この発明は、表示ユニットの背面に取り付けられて、前記表示ユニットを支持する支持部材と、前記表示ユニットの周縁部を前記支持部材に対して固定することにより、前記表示ユニットの周縁部における前記支持部材を支点とした前後方向への振れを阻止する振止め部材と、を備え、前記振止め部材は、前記支持部材に設けられて前記表示ユニットの背面における周囲に位置する縁部に対応して配置されるフレームと、前記表示ユニットにその背面を覆って取り付けられ、かつ前記フレームに係止されて前記表示ユニットの周縁部を前記フレームに対して固定するユニットカバーと、前記フレームと前記ユニットカバーとに設けられ、前記表示ユニットの周縁部を前記支持部材に対して固定する固定補強部と、を備えていることを特徴とする電子機器である。
また、この発明は、表示ユニットの背面に取り付けられて、前記表示ユニットを支持する支持部材と、前記表示ユニットの周縁部を前記支持部材に対して固定することにより、前記表示ユニットの周縁部における前記支持部材を支点とした前後方向への振れを阻止する振止め部材と、を備え、前記振止め部材は、前記支持部材に設けられて前記表示ユニットの背面における周囲に位置する縁部に対応して配置されるフレームと、前記表示ユニットにその背面を覆って取り付けられ、かつ前記フレームに係止されて前記表示ユニットの周縁部を前記フレームに対して固定するユニットカバーと、を備え、前記ユニットカバーは、前記表示ユニットの背面の上部側を覆う上部カバーと、前記表示ユニットの背面の下部側を覆う下部カバーと、を備えていることを特徴とする電子機器である。
【発明の効果】
【０００９】
この発明によれば、振止め部材によって表示ユニットの周縁部を支持部材に対して固定することができるので、表示ユニットの周縁部における支持部材を支点とした前後方向への振れを確実にかつ良好に防ぐことができる。
【図面の簡単な説明】
【００１０】
【図１】この発明を適用した電子機器の一実施形態を示した正面図である。
【図２】図１に示された電子機器のＡ−Ａ矢視における断面図である。
【図３】図１に示された電子機器の裏面図である。
【図４】図３に示された電子機器において、入力表示ユニットからユニットカバーを取り外した状態を示した裏面図である。
【図５】図４に示された電子機器において、支持部材から入力表示ユニットを取り外した状態を示した裏面図である。
【図６】図３に示された電子機器のユニットカバーを示し、（ａ）はそのユニットカバーの側面図、（ｂ）は図２に断面で示されたユニットカバーの断面図である。
【図７】図２に示された電子機器におけるＡ部を示した拡大断面図である。
【発明を実施するための形態】
【００１１】
以下、図１〜図７を参照して、この発明を適用した電子機器の一実施形態について説明する。
この電子機器は、図１および図２に示すように、入力表示装置であり、入力表示ユニット１と、この入力表示ユニット１の背面に取り付けられて入力表示ユニット１を支持する支持部材２と、入力表示ユニット１の周縁部を支持部材２に対して固定する振止め部材３と、を備えている。
【００１２】
入力表示ユニット１は、図１および図２に示すように、入力表示パネル１ａと、この入力表示パネル１ａが組み込まれるユニットケース１ｂと、を備えている。入力表示パネル１ａは、表示パネルとこの表示パネルの前面に配置された透明なタッチ入力パネル（いずれも図示せず）と備え、タッチ入力パネルの前面が露出された状態でユニットケース１ｂに組み込まれるように構成されている。
【００１３】
この場合、表示パネルは、図示しないが、液晶表示パネルやＥＬ（エレクトロ・ルミネッセンス）表示パネル、またはプラズマ表示パネルなどの平面型の表示パネルであり、電気光学的に情報を表示するように構成されている。透明なタッチ入力パネルは、タッチ操作によって表示パネルに表示された表示を切り替えたり、情報を入力したりするように構成されている。
【００１４】
これにより、入力表示ユニット１は、図１および図２に示すように、入力表示パネル１ａの背面が覆われた状態で、入力表示パネル１ａがユニットケース１ｂに組み込まれ、この状態で入力表示パネル１ａの表示パネルに表示された情報を見ながら、入力表示パネル１ａの透明なタッチ入力パネルをタッチ操作することにより、表示パネルの表示が切り替わったり、情報が入力されたりするように構成されている。
【００１５】
支持部材２は、図１〜図５に示すように、台座部４とアーム部５とヒンジ部６と取付部７とを備えている。台座部４は、合成樹脂製のほぼ台形の箱状に形成されている。この台座部４は、図１における左右方向の長さが入力表示ユニット１の左右方向の長さよりも短く形成されている。この台座部４の前面には、操作部４ａが設けられている。
【００１６】
アーム部５は、図１〜図５に示すように、台座部４の後端部から台座部４の前側上方に向けて傾斜した状態で、台座部４の後端部に起立して設けられている。このアーム部５は、図３における左右方向の長さが台座部４の左右方向の長さと同じ長さで、台座部４と同様、入力表示ユニット１の左右方向の長さよりも短く形成されている。
【００１７】
ヒンジ部６は、図２〜図５に示すように、アーム部５の先端上部に取り付けられたヒンジ固定部と、このヒンジ固定部に回転可能に取り付けられたヒンジ回転部（いずれも図示せず）と、このヒンジ回転部の一部を露出させた状態でヒンジ固定部およびヒンジ回転部を覆うヒンジカバー６ａと、を備えている。
【００１８】
この場合、ヒンジカバー６ａは、図２〜図５に示すように、ほぼ円筒状に形成され、その長さがアーム部５の左右方向の長さとほぼ同じ長さに形成されている。ヒンジ回転部は、ヒンジカバー６ａ内の両側に配置され、この状態でヒンジ固定部に対して所定の負荷をもって回転するように構成されている。
【００１９】
取付部７は、図２〜図５に示すように、ほぼ四角形状の金属板からなり、ヒンジ部６のヒンジ回転部に取り付けられ、このヒンジ回転部と共に上下方向に回転するように構成されている。この取付部７は、その左右方向の長さがアーム部５の左右方向の長さとほぼ同じ長さで、アーム部５と同様、入力表示ユニット１の左右方向の長さよりも短く形成されている。また、この取付部７は、その上下方向の長さが左右方向の長さよりも短い長さで、入力表示ユニット１の上下方向の長さよりも短い長さで形成されている。
【００２０】
このため、この取付部７は、図４および図５に示すように、入力表示ユニット１の背面、つまり金属製のユニットケース１ｂのほぼ中央部分に位置する取付領域Ｅ（図５参照）にビス７ａによって取り付けられるように構成されている。この場合、取付領域Ｅは、取付部７の外形よりも十分に小さく形成され、取付部７のほぼ中央部分に対応するように設定されている。
【００２１】
これにより、支持部材２は、図１〜図４に示すように、取付部７が入力表示ユニット１の背面に取り付けられて、アーム部５が入力表示ユニット１を台座部４の前側上方に起立させて支持し、この状態で入力表示ユニット１がヒンジ部６を中心に前後方向に回転するように構成されている。
【００２２】
振止め部材３は、図２、図６および図７に示すように、入力表示ユニット１の周縁部における支持部材２を支点とした前後方向への振れを阻止するものであり、支持部材２の取付部７に設けられて、入力表示ユニット１の背面における周囲に位置する縁部に対応して配置される第１、第２のフレーム８、９と、入力表示ユニット１にその背面を覆って取り付けられ、かつ第１、第２のフレーム８、９に係止されて入力表示ユニット１の周縁部を第１、第２のフレーム８、９に対して固定するユニットカバー１０と、を備えている。
【００２３】
第１のフレーム８は、図４および図５に示すように、金属製の帯板状に形成され、支持部材２の取付部７における上辺部に取り付けられ、入力表示ユニット１の上辺部の縁部に沿って配置されるように構成されている。また、この第１のフレーム８は、その左右方向の長さが取付部７の左右方向の長さよりも長く形成され、かつ入力表示ユニット１の左右方向の長さよりも少し短く形成されている。
【００２４】
これにより、第１のフレーム８は、図４および図５に示すように、その上辺部が支持部材２の取付部７の上辺部から上方に突出し、この突出した上辺部が入力表示ユニット１の上辺部の縁部に接近して配置され、かつ左右方向の両端部が取付部７の左右方向における両側から突出し、この突出した両端部が入力表示ユニット１の上辺部側における左右方向の両側に位置する各縁部に接近して配置されるように構成されている。
【００２５】
第２のフレーム９は、図４および図５に示すように、第１のフレーム８と同様、金属製の帯板状に形成され、支持部材２の取付部７における下辺部に取り付けられ、入力表示ユニット１の下辺部の縁部に沿って配置されるように構成されている。この第２のフレーム９は、その左右方向の長さが取付部７の左右方向の長さよりも長く形成され、かつ入力表示ユニット１の左右方向の長さよりも少し短く形成されている。
【００２６】
これにより、第２のフレーム９は、図４および図５に示すように、その下辺部が支持部材２の取付部７の下辺部から下方に突出し、この突出した下辺部が入力表示ユニット１の下辺部の縁部に接近して配置され、かつ左右方向の両端部が取付部７の左右方向における両側から突出し、この突出した両端部が入力表示ユニット１の下辺部側における左右方向の両側に位置する各縁部に接近して配置されるように構成されている。
【００２７】
ユニットカバー１０は、図１〜図３、図６に示すように、上部カバー１１と下部カバー１２とを備えている。上部カバー１１は、入力表示ユニット１の背面、つまりユニットケース１ｂの背面における上部側に取り付けられて、入力表示ユニット１の背面における上部側を覆うように構成されている。また、下部カバー１２は、入力表示ユニット１の背面、つまりユニットケース１ｂの背面における下部側に取り付けられて、入力表示ユニット１の背面における下部側を覆うように構成されている。
【００２８】
ところで、振止め部材３は、図６および図７に示すように、第１、第２のフレーム８、９とユニットカバー１０とに設けられ、入力表示ユニット１の周縁部を第１、第２のフレーム８、９に対して固定する固定補強部１３を備えている。この固定補強部１３は、第１、第２のフレーム８、９の各縁部と、ユニットカバー１０に設けられて第１、第２のフレーム８、９の各縁部を係止する第１、第２のリブ部１４、１５と、を備えている。
【００２９】
第１のリブ部１４は、図２、図６および図７に示すように、上部カバー１１の内面における上辺部にこれに沿って所定間隔で複数設けられている。これら複数の第１のリブ部１４それぞれには、第１のフレーム８の上辺部の縁部が係合する第１の係合溝部１４ａが下側に開放されて設けられている。これにより、第１のリブ部１４は、上部カバー１１が入力表示ユニット１の上部側に装着される際に、複数の第１の係合溝部１４ａに第１のフレーム８の上辺部の縁部が下側から挿入して係合するように構成されている。
【００３０】
第２のリブ部１５は、図２および図６に示すように、下部カバー１２の内面における下辺部にこれに沿って所定間隔で複数設けられている。これら複数の第２のリブ部１５それぞれには、第２のフレーム９の下辺部の縁部が係合する第２の係合溝部１５ａが上側に開放されて設けられている。これにより、第２のリブ部１５は、下部カバー１２が入力表示ユニット１の下部側に装着される際に、複数の第２の係合溝部１５ａに第２のフレーム９の下辺部の縁部が上側から挿入して係合するように構成されている。
【００３１】
このため、固定補強部１３は、図７に示すように、上部カバー１１を入力表示ユニット１の上部側に装着した際に、複数の第１のリブ部１４に設けられた第１の係合溝部１４ａに第１のフレーム８における上辺部の縁部が下側から挿入されて係合することにより、入力表示ユニット１の上辺部側およびその両側部を支持部材２に対して前後方向に振れることなく強固に固定するように構成されている。
【００３２】
また、この固定補強部１３は、図７に示された上部カバー１１と同様、下部カバー１２を入力表示ユニット１の下部側に装着した際に、複数の第２のリブ部１５に設けられた第２の係合溝部１５ａに第２のフレーム９における下辺部の縁部が上側から挿入されて係合することにより、入力表示ユニット１の下辺部側およびその両側部を支持部材２に対して前後方向に振れることなく強固に固定するように構成されている。
【００３３】
次に、このような電子機器の作用について説明する。
まず、この電子機器を組み立てる場合について説明する。この場合には、予め、入力表示ユニット１と支持部材２とをそれぞれ組み立てる。すなわち、入力表示ユニット１は、表示パネルの前面に透明なタッチ入力パネルを取り付けて、入力表示パネル１ａを製作し、この入力表示パネル１ａを金属製のユニットケース１ｂ内に組み付けて、入力表示パネル１ａのタッチ入力パネルの前面を露出させる。
【００３４】
支持部材２は、台座部４の後端部にアーム部５を前側上方に向けて傾けた状態で起立させて設け、このアーム部５の先端上部にヒンジ部６のヒンジ固定部を取り付け、このヒンジ固定部にヒンジ回転部を回転可能に取り付け、このヒンジ回転部に支持部材２の取付部７を取り付け、この状態でヒンジ固定部およびヒンジ回転部をヒンジカバー５ａで覆う。この場合、ヒンジ部６のヒンジ回転部は、ヒンジ固定部に対して所定の負荷をもって回転可能な状態で取り付けられる。
【００３５】
この状態で、支持部材２の取付部７に第１、第２のフレーム８、９を取り付ける。このときには、第１のフレーム８を取付部７の上辺部に取り付けて、第１のフレーム８の上辺部を取付部７の上辺部から上方に突出させると共に、第１のフレーム８の左右方向に位置する両側部を取付部７の左右方向の両側から突出させる。また、このときには、第２のフレーム９を取付部７の下辺部に取り付けて、第２のフレーム９の下辺部を取付部７の下辺部から下方に突出させると共に、第２のフレーム９の左右方向に位置する両側部を取付部７の左右方向の両側から突出させる。
【００３６】
そして、支持部材２に入力表示ユニット１を取り付ける。このときには、支持部材２の取付部７のほぼ中央部分を入力表示ユニット１の背面におけるほぼ中央部分に位置する取付領域Ｅに対応させて配置する。この状態で、入力表示ユニット１の取付領域Ｅに対応する取付部７のほぼ中央部分における四隅を、入力表示ユニット１のユニットケース１ｂに、その取付領域Ｅ内でビス７ａによって取り付ける。
【００３７】
この場合には、支持部材２の取付部７および入力表示ユニット１のユニットケース１ｂがそれぞれ金属製であるから、ビス７ａによってユニットケース１ｂが取付部７に確実にかつ強固に取り付けられる。これにより、入力表示ユニット１が支持部材２に取り付けられて支持される。
【００３８】
この状態で、入力表示ユニット１の背面にユニットカバー１０の上部カバー１１と下部カバー１２とを取り付ける。この場合、上部カバー１１を取り付ける際には、入力表示ユニット１の背面、つまりユニットケース１ｂの背面における上部側に上部カバー１１を取り付けて、入力表示ユニット１の背面における上部側を覆う。このときには、上部カバー１１をユニットケース１ｂの背面にその上側から被せて、固定補強部１３の複数の第１のリブ部１４に設けられた第１の係合溝部１４ａに第１のフレーム８における上辺部の縁部を下側から挿入させて係合させる。
【００３９】
同様に、入力表示ユニット１の背面、つまりユニットケース１ｂの背面における下部側に下部カバー１２を取り付けて、入力表示ユニット１の背面における下部側を覆う。このときには、下部カバー１２をユニットケース１ｂの背面にその下側から被せて、固定補強部１３の複数の第２のリブ部１５に設けられた第２の係合溝部１５ａに第２のフレーム９における下辺部の縁部を上側から挿入させて係合させる。
【００４０】
これにより、入力表示ユニット１は、その周縁部が支持部材２に対して前後方向に振れることなく取り付けられる。すなわち、固定補強部１３は、上部カバー１１が入力表示ユニット１の上部側に装着された際に、複数の第１のリブ部１４に設けられた第１の係合溝部１４ａに第１のフレーム８の上辺部が下側から挿入して係合されることにより、入力表示ユニット１の上部側に位置する両側部が支持部材２に対して前後方向に振れることなく強固に固定される。
【００４１】
同様に、この固定補強部１３は、下部カバー１２が入力表示ユニット１の下部側に装着された際に、複数の第２のリブ部１５に設けられた第２の係合溝部１５ａに第２のフレーム９の下辺部が上側から挿入して係合されることにより、入力表示ユニット１の下部側に位置する両側部が支持部材２に対して前後方向に振れることなく強固に固定される。
【００４２】
次に、このような電子機器を使用する場合について説明する。
この場合には、入力表示ユニット１における入力表示パネル１ａの表示パネルに表示された情報を見ながら、入力表示パネル１ａの透明なタッチ入力パネルをタッチ操作することにより、入力表示パネル１ａの表示パネルの表示を切り替えたり、情報を入力したりことができる。
【００４３】
このように入力表示パネル１ａのタッチ入力パネルをタッチ操作する際には、入力表示パネル１ａの中央部分を押しても、また入力表示パネル１ａの周辺部を押しても、入力表示ユニット１が支持部材２を支点とした前後方向に振れることがない。このため、入力表示パネル１ａのタッチ入力パネルを良好にタッチ操作することができる。
【００４４】
また、この電子機器では、支持部材２のヒンジ部６を中心に入力表示ユニット１を上下方向に回転させて入力表示ユニット１の向きを調整することができる。このため、入力表示ユニット１における入力表示パネル１ａの表示パネルに表示された情報を良好に見ることができると共に、入力表示パネル１ａのタッチ入力パネルのタッチ操作性を向上させることができ、これにより使い勝手の良いものを提供することができる。
【００４５】
このように、この電子機器によれば、入力表示ユニット１の背面に取り付けられて、入力表示ユニット１を支持する支持部材２と、入力表示ユニット１の周縁部を支持部材２に対して固定することにより、入力表示ユニット１の周縁部における支持部材２を支点とした前後方向への振れを阻止する振止め部材３と、を備えていることにより、振止め部材３によって入力表示ユニット１の周縁部を支持部材２に対して固定することができる。このため、入力表示ユニット１が大型化しても、入力表示ユニット１の周縁部における支持部材２を支点とした前後方向への振れを確実にかつ良好に防ぐことができる。
【００４６】
この場合、入力表示ユニット１は、表示パネルおよびこの表示パネルの前面に配置されたタッチ入力パネルを備えた入力表示パネル１ａと、この入力表示パネル１ａの背面を覆った状態で入力表示パネル１ａが組み込まれるユニットケース１ｂと、を備えていることにより、表示パネルとタッチ入力パネルとを備えた入力表示パネル１ａをユニットケース１ｂに確実にかつ良好に組み込むことができる。
【００４７】
また、この入力表示ユニット１は、入力表示パネル１ａがユニットケース１ｂに組み込まれた状態で、入力表示パネル１ａの表示パネルに表示された情報を見ながら、入力表示パネル１ａのタッチ入力パネルをタッチ操作して、入力表示パネル１ａの表示パネルの表示を切り替えたり、情報を入力したりすることができる。
【００４８】
このように入力表示パネル１ａのタッチ入力パネルをタッチ操作する際には、入力表示パネル１ａの中央部分を押しても、また入力表示パネル１ａの周辺部を押しても、入力表示ユニット１が支持部材２を支点とした前後方向に振れることがないので、入力表示ユニット１が大型化しても、入力表示パネル１ａのタッチ入力パネルを良好にタッチ操作することができる。
【００４９】
また、この電子機器では、振止め部材３が、支持部材２に設けられて入力表示ユニット１の背面における周囲に位置する縁部に対応して配置される第１、第２のフレーム８、９と、入力表示ユニット１にその背面を覆って取り付けられ、かつ第１、第２のフレーム８、９に係止されて入力表示ユニット１の周縁部を第１、第２のフレーム８、９に対して固定するユニットカバー１０と、を備えていることにより、入力表示ユニット１の周縁部における支持部材２を支点とした前後方向への振れを確実にかつ良好に防ぐことができる。
【００５０】
すなわち、第１のフレーム８は、金属製の帯板状に形成され、支持部材２の取付部７における上辺部に取り付けられ、入力表示ユニット１の上辺部の縁部に沿って配置されると共に、その左右方向の長さが取付部７の左右方向の長さよりも長く形成され、かつ入力表示ユニット１の左右方向の長さよりも少し短く形成されている。
【００５１】
このため、この第１のフレーム８は、その上辺部を支持部材２の取付部７の上辺部から上方に突出させ、この突出した上辺部を入力表示ユニット１の上辺部の縁部に接近させて配置することができると共に、左右方向の両端部を取付部７の左右方向における両側から突出させ、この突出した両端部を入力表示ユニット１の上辺部側における左右方向の両側に位置する各縁部に接近させて配置することができる。
【００５２】
同様に、第２のフレーム９は、第１のフレーム８と同様、金属製の帯板状に形成され、支持部材２の取付部７における下辺部に沿って設けられて、入力表示ユニット１の下辺部の縁部に配置されると共に、その左右方向の長さが取付部７の左右方向の長さよりも長く形成され、かつ入力表示ユニット１の左右方向の長さよりも少し短く形成されている。
【００５３】
このため、第２のフレーム９は、その下辺部を支持部材２の取付部７の下辺部から下方に突出させ、この突出した下辺部を入力表示ユニット１の下辺部の縁部に接近させて配置することができると共に、左右方向の両端部を取付部７の左右方向における両側から突出させ、この突出した両端部を入力表示ユニット１の下辺部側における左右方向の両側に位置する各縁部に接近させて配置することができる。
【００５４】
また、ユニットカバー１０は、入力表示ユニット１にその背面を覆って取り付けられた状態で、第１、第２のフレーム８、９に係止されることにより、入力表示ユニット１を第１、第２のフレーム８、９に対して確実にかつ良好に固定することができるので、入力表示ユニット１が大型化しても、その入力表示ユニット１の周縁部における支持部材２を支点とした前後方向への振れを確実にかつ良好に防ぐことができる。
【００５５】
この場合、ユニットカバー１０は、入力表示ユニット１の背面の上部側を覆う上部カバー１１と、入力表示ユニット１の背面の下部側を覆う下部カバー１２と、を備えているので、上部カバー１１によって入力表示ユニット１の背面の上部側を確実にかつ良好に覆うことができ、また下部カバー１２によって入力表示ユニット１の背面の下部側を確実にかつ良好に覆うことができると共に、上部カバー１１と下部カバー１２とを入力表示ユニット１の背面に簡単にかつ容易に組み付けることができる。
【００５６】
また、この電子機器では、振止め部材３が、第１、第２のフレーム８、９とユニットカバー１０とに設けられて、入力表示ユニット１の周縁部を支持部材２に対して固定する固定補強部１３を備えていることにより、固定補強部１３によって入力表示ユニット１の周縁部を支持部材２に対して確実にかつ強固に固定することができ、これによっても入力表示ユニット１の周縁部における支持部材２を支点とした前後方向への振れを確実にかつ良好に防ぐことができる。
【００５７】
すなわち、この電子機器では、上部カバー１１が入力表示ユニット１の背面の上部側に取り付けられた際に、固定補強部１３によって上部カバー１１が取り付けられた入力表示ユニット１の背面の上部側を支持部材２に対して確実にかつ強固に固定することができる。また、この電子機器では、下部カバー１２が入力表示ユニット１の背面の下部側に取り付けられた際に、固定補強部１３によって下部カバー１２が取り付けられた入力表示ユニット１の背面の下部側を支持部材２に対して確実にかつ強固に固定することができる。このため、
【００５８】
この場合、固定補強部１３は、第１、第２のフレーム８、９の各縁部と、ユニットカバー１０の上部カバー１１と下部カバー１２とにそれぞれ設けられて第１、第２のフレーム８、９の各縁部が係合する第１、第２の係合溝部１４ａ、１５ａが設けられた第１、第２のリブ部１４、１５と、を備えていることにより、入力表示ユニット１の周縁部を支持部材２に対して確実にかつ強固に固定することができ、これにより入力表示ユニット１の周縁部における支持部材２を支点とした前後方向への振れを、より一層、確実にかつ良好に防ぐことができる。
【００５９】
すなわち、固定補強部１３の第１のリブ部１４は、上部カバー１１が入力表示ユニット１の上部側に装着された際に、複数の第１の係合溝部１４ａに第１のフレーム８における上辺部の縁部が下側から挿入して係合することにより、上部カバー１１が取り付けられた入力表示ユニット１の背面における上辺部側を振止め部材３の第１のフレーム材８に確実にかつ強固に固定することができる。
【００６０】
また、固定補強部１３の第２のリブ部１５は、下部カバー１２が入力表示ユニット１の下部側に装着された際に、複数の第２の係合溝部１５ａに第２のフレーム９における下辺部の縁部が上側から挿入して係合することにより、下部カバー１２が取り付けられた入力表示ユニット１の背面における下辺部側を振止め部材３の第２のフレーム材９に確実にかつ強固に固定することができる。
【００６１】
なお、上述した実施形態では、支持部材２の取付部７における上辺部と下辺部とに振止め部材３の第１、第２のフレーム８、９を設けた場合について述べたが、この発明はこれに限らず、例えば支持部材２の取付部７における左右方向の両側辺部にそれぞれ振止め部材のフレームを取り付けて、これら各フレームの縁部にユニットカバー１０を係止させることにより、入力表示ユニット１の周縁部を各フレームに対して固定するように構成しても良い。
【００６２】
この場合には、ユニットカバー１０を左右方向に分割して、入力表示ユニット１の右側に装着される第１のカバーと、入力表示ユニット１の左側に装着される第２のカバーとで構成しても良い。この場合には、第１、第２のカバーの内周部における側部に第１、第２のリブ部を上下方向に沿って複数設けた構成にすれば良い。この場合にも、第１、第２リブ部それぞれに、第１、第２のフレームの縁部が係合する第１、第２の係合溝部を設ければ良い。
【００６３】
また、上述した実施形態では、入力表示装置である電子機器に適用した場合について述べたが、この発明はこれに限らず、例えば表示機能のみを備えた表示ユニットを支持部材で支持する表示装置としての電子機器にも適用することができる。また、これに限らず、この発明は表示パネルのみを備えた電子機器にも適用することができる。
【００６４】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６５】
（付記）
請求項１に記載の発明は、表示ユニットの背面に取り付けられて、前記表示ユニットを支持する支持部材と、前記表示ユニットの周縁部を前記支持部材に対して固定することにより、前記表示ユニットの周縁部における前記支持部材を支点とした前後方向への振れを阻止する振止め部材と、を備えていることを特徴とする電子機器である。
【００６６】
請求項２に記載の発明は、請求項１に記載の電子機器において、前記振止め部材は、前記支持部材に設けられて前記表示ユニットの背面における周囲に位置する縁部に対応して配置されるフレームと、前記表示ユニットにその背面を覆って取り付けられ、かつ前記フレームに係止されて前記表示ユニットの周縁部を前記フレームに対して固定するユニットカバーと、を備えていることを特徴とする電子機器である。
【００６７】
請求項３に記載の発明は、請求項２に記載の電子機器において、前記振止め部材は、前記フレームと前記ユニットカバーとに設けられ、前記表示ユニットの周縁部を前記支持部材に対して固定する固定補強部を備えていることを特徴とする電子機器である。
【００６８】
請求項４に記載の発明は、請求項３に記載の電子機器において、前記固定補強部は、前記フレームの縁部と、前記ユニットカバーに設けられ、かつ前記フレームの前記縁部が係合する係合溝部が設けられた複数のリブ部と、を備えていることを特徴とする電子機器である。
【００６９】
請求項５に記載の発明は、請求項２〜請求項４のいずれかに記載の電子機器において、前記ユニットカバーは、前記表示ユニットの背面の上部側を覆う上部カバーと、前記表示ユニットの背面の下部側を覆う下部カバーと、を備えていることを特徴とする電子機器である。
【００７０】
請求項６に記載の発明は、請求項１〜請求項５のいずれかに記載の電子機器において、前記表示ユニットは、表示パネルおよびこの表示パネルの前面に配置されたタッチ入力パネルを備えた入力表示パネルと、この入力表示パネルの背面を覆った状態で前記入力表示パネルが組み込まれるユニットケースと、を備えていることを特徴とする電子機器である。
【符号の説明】
【００７１】
１  入力表示ユニット
１ａ  入力表示パネル
１ｂ  ユニットケース
２  支持部材
３  振止め部材
４  台座部
５  アーム部
６  ヒンジ部
７  取付部
８、９  第１、第２のフレーム
１０  ユニットカバー
１１  上部カバー
１２  下部カバー
１３  固定補強部
１４、１５  第１、第２のリブ部
１４ａ、１５ａ  第１、第２の係合溝部
Ｅ  取付領域
【図１】
0006651129.tif 000002
【図２】
0006651129.tif 000003
【図３】
0006651129.tif 000004
【図４】
0006651129.tif 000005
【図５】
0006651129.tif 000006
【図６】
0006651129.tif 000007
【図７】
0006651129.tif 000008